(57)【要約】【課題】  利用者が見やすい位置に画像を表示できる画像表示装置及び表示位置制御プログラムを提供する。【解決手段】  画像表示テーブル１２の表面全面には、画像を表示する表示部（表示画面）３２が設けられている。表示部３２にはタッチパネル５２が配設されており、各利用者は表示部３２に表示された画像に指やスタイラスペン等で触れて画像の操作を行うことができる。入出力部３４は、画像や音声の入出力を行うブロックである。赤外線センサ６０は、画像表示テーブル１２の側面や脚部等に配設されており、画像表示テーブル１２の利用者の位置を検出する。ＩＣタグリーダ６２は、商品６４に取り付けられたＩＣタグ６６から商品の識別情報を読み取る装置であり、テーブル表面の表示画面に商品６４が置かれた場合にその位置を検出する。なお、利用者やテーブル上に置かれたものの位置を検出する手段としては、加重センサや店内カメラ６８を用いることもできる。【選択図】      図３
2006208845.tif 000002
【特許請求の範囲】
【請求項１】
画像を表示する表示画面を有する画像表示手段と、
利用者の位置を検出する利用者位置検出手段と、
前記利用者の位置に基づいて前記表示画面上における前記画像の表示位置及び向きを制御する制御手段と、
を備えることを特徴とする画像表示装置。
【請求項２】
前記画像表示装置はテーブル形状であって、前記表示画面はテーブルの表面に設けられており、
前記制御手段は、前記利用者が複数の場合に、前記利用者の位置とテーブル表面の中心を結ぶ線分と、前記利用者の隣の利用者の位置と前記テーブル表面の中心を結ぶ線分とのなす角が最大となる線分の間に、前記画像の下方が前記テーブル表面の中心側に向くように前記画像を表示させることを特徴とする請求項１記載の画像表示装置。
【請求項３】
前記画像表示装置はテーブル形状であって、前記表示画面はテーブルの表面に設けられており、
前記制御手段は、前記利用者が複数の場合に、前記利用者の位置とテーブル表面の中心を結ぶ線分と、前記利用者の隣の利用者の位置と前記テーブル表面の中心を結ぶ線分とのなす角が最大の角の二等分線、又は前記二等分線を角の反対側に伸ばした直線上又はその近傍に、前記画像の下方が前記テーブル表面の中心側に向くように前記画像を表示させることを特徴とする請求項１記載の画像表示装置。
【請求項４】
前記制御手段は、前記利用者が複数の場合に、前記画像の下方から上方に伸びるベクトルと、各利用者の位置を始点として前記画像の中心を終点とするベクトルとのなす角が鋭角になるように前記画像の表示位置及び向きを制御することを特徴とする請求項１から３のいずれか１項記載の画像表示装置。
【請求項５】
前記利用者位置検出手段は、前記画像表示装置又はその周囲に配設された赤外線センサを備え、前記赤外線センサにより前記利用者の位置を検出することを特徴とする請求項１から４のいずれか１項記載の画像表示装置。
【請求項６】
前記利用者位置検出手段は、前記画像表示装置の周囲に配設された加重センサを備え、前記加重センサにより前記利用者の位置を検出することを特徴とする請求項１から５のいずれか１項記載の画像表示装置。
【請求項７】
前記利用者位置検出手段は、前記利用者を撮像する撮像手段と、前記撮像された画像を解析して前記利用者の位置を算出する利用者位置算出手段とを備えることを特徴とする請求項１から６のいずれか１項記載の画像表示装置。
【請求項８】
前記表示画面に置かれた商品の位置を検出する商品検出手段を更に備え、
前記制御手段は、前記表示画面に前記商品が置かれた場合に、前記商品と重ならないように前記画像を移動又は縮小させることを特徴とする請求項１から７記載の画像表示装置。
【請求項９】
前記商品又は前記商品の容器には、固有の識別情報が書き込まれたＩＣタグが取り付けられており、
前記商品検出手段は、前記ＩＣタグに書き込まれた識別情報を読み取って前記商品の置かれた位置及びその占める面積を検出することを特徴とする請求項８記載の画像表示装置。
【請求項１０】
前記識別情報は、前記商品の立体形状に関する情報を含んでおり、
前記制御手段は、前記商品検出手段から得られた前記商品の置かれた位置及び立体形状に基づいて、前記商品により利用者から見て死角になる領域を算出し、前記商品及び前記死角になる領域と重ならないように前記画像を移動又は縮小させることを特徴とする請求項９記載の画像表示装置。
【請求項１１】
前記商品検出手段は、前記表示画面に加わる圧力を検出する圧力検出手段を備え、
前記制御手段は、前記表示画面に圧力が加えられた場合に、前記圧力が加えられている領域と重ならないように前記画像を移動又は縮小させることを特徴とする請求項８から１０のいずれか１項記載の画像表示装置。
【請求項１２】
前記画像表示手段の表示画面上に配設されたタッチパネルを更に備え、
前記制御手段は、前記タッチパネルに圧力が加えられた場合に、前記検出された圧力に基づいて、前記タッチパネルに加えられた圧力が利用者によるタッチ操作によるものか否かを判別し、前記検出された圧力がタッチ操作によるものでない場合に、前記圧力が加えられている領域と重ならないように前記画像を移動又は縮小させることを特徴とする請求項１から１０のいずれか１項記載の画像表示装置。
【請求項１３】
画像を表示する機能と、
利用者の位置を検出する機能と、
前記利用者の位置に基づいて前記画像の表示位置及び向きを制御する機能と、
をコンピュータに実現させることを特徴とする表示位置制御プログラム。
【発明の詳細な説明】
【技術分野】
【０００１】
本発明は画像表示装置及び表示位置制御プログラムに関する。
【背景技術】
【０００２】
従来、テーブルの表面にディスプレイデバイスの表示画面を有し、１つのディスプレイデバイスを複数の利用者が共有できる表示装置が提案されている（特許文献１）。特許文献１に開示された表示装置においては、各利用者の見やすい向きに画像が表示される。
【特許文献１】特開２０００−２３５３５２号公報
【発明の開示】
【発明が解決しようとする課題】
【０００３】
ところで、通常写真等を見せあう場合には、複数の利用者が見やすいように向きを変更する。しかしながら、上記の特許文献１には、表示画面に表示された画像を複数の利用者が見やすいように画像の向きを変更する手段については記載されていない。
【０００４】
本発明はこのような事情に鑑みてなされたもので、複数の利用者が見やすい位置に画像を表示できる画像表示装置及び表示位置制御プログラムを提供することを目的とする。
【課題を解決するための手段】
【０００５】
上記目的を達成するために請求項１に係る画像表示装置は、画像を表示する表示画面を有する画像表示手段と、利用者の位置を検出する利用者位置検出手段と、前記利用者の位置に基づいて前記表示画面上における前記画像の表示位置及び向きを制御する制御手段とを備えることを特徴とする。
【０００６】
請求項１に係る画像表示装置によれば、利用者の位置に応じて利用者が見やすい位置に画像を表示できる。
【０００７】
請求項２に係る画像表示装置は、請求項１において、前記画像表示装置はテーブル形状であって、前記表示画面はテーブルの表面に設けられており、前記制御手段は、前記利用者が複数の場合に、前記利用者の位置とテーブル表面の中心を結ぶ線分と、前記利用者の隣の利用者の位置と前記テーブル表面の中心を結ぶ線分とのなす角が最大となる線分の間に、前記画像の下方が前記テーブル表面の中心側に向くように前記画像を表示させることを特徴とする。
【０００８】
請求項３に係る画像表示装置は、請求項１において、前記画像表示装置はテーブル形状であって、前記表示画面はテーブルの表面に設けられており、前記制御手段は、前記利用者が複数の場合に、前記利用者の位置とテーブル表面の中心を結ぶ線分と、前記利用者の隣の利用者の位置と前記テーブル表面の中心を結ぶ線分とのなす角が最大の角の二等分線、又は前記二等分線を角の反対側に伸ばした直線上又はその近傍に、前記画像の下方が前記テーブル表面の中心側に向くように前記画像を表示させることを特徴とする。
【０００９】
請求項４に係る画像表示装置は、請求項１から３において、前記制御手段は、前記利用者が複数の場合に、前記画像の下方から上方に伸びるベクトルと、各利用者の位置を始点として前記画像の中心を終点とするベクトルとのなす角が鋭角になるように前記画像の表示位置及び向きを制御することを特徴とする。
【００１０】
請求項２から４に係る画像表示装置によれば、利用者が複数の場合に各利用者から見やすい位置に画像を表示できる。
【００１１】
請求項５に係る画像表示装置は、請求項１から４において、前記利用者位置検出手段は、前記画像表示装置又はその周囲に配設された赤外線センサを備え、前記赤外線センサにより前記利用者の位置を検出することを特徴とする。請求項５は、利用者位置検出手段を赤外線センサに限定したものである。
【００１２】
請求項６に係る画像表示装置は、請求項１から５において、前記利用者位置検出手段は、前記画像表示装置の周囲に配設された加重センサを備え、前記加重センサにより前記利用者の位置を検出することを特徴とする。
【００１３】
請求項６は、利用者位置検出手段として加重センサを用いるものである。また、請求項６によれば、赤外線センサと加重センサを併用することにより、利用者の位置の検出精度を高めることができる。
【００１４】
請求項７に係る画像表示装置は、請求項１から６において、前記利用者位置検出手段は、前記利用者を撮像する撮像手段と、前記撮像された画像を解析して前記利用者の位置を算出する利用者位置算出手段とを備えることを特徴とする。
【００１５】
請求項７は、利用者位置検出手段として撮像手段（店内カメラ等）を用いるものである。また、請求項７によれば、赤外線センサ、加重センサ及び撮像手段、又はこれらのうちいずれかを組み合わせることにより、利用者の位置の検出精度を高めることができる。
【００１６】
請求項８に係る画像表示装置は、請求項１から７において、前記表示画面に置かれた商品の位置を検出する商品検出手段を更に備え、前記制御手段は、前記表示画面に前記商品が置かれた場合に、前記商品と重ならないように前記画像を移動又は縮小させることを特徴とする。
【００１７】
請求項８に係る画像表示装置によれば、表示画面に商品が置かれている場合に、画像が商品と重なってしまうのを防止できる。なお、商品とは、本発明の画像表示装置が設置される店舗等において提供されるもの（食べ物や飲み物等）のほか、利用者の荷物等を含むものとする。
【００１８】
請求項９に係る画像表示装置は、請求項８において、前記商品又は前記商品の容器には、固有の識別情報が書き込まれたＩＣタグが取り付けられており、前記商品検出手段は、前記ＩＣタグに書き込まれた識別情報を読み取って前記商品の置かれた位置及びその占める面積を検出することを特徴とする。請求項９は、請求項８の商品検出手段を商品に取り付けられたＩＣタグを読み取る手段に限定したものである。
【００１９】
請求項１０に係る画像表示装置は、請求項９において、前記識別情報は、前記商品の立体形状に関する情報を含んでおり、前記制御手段は、前記商品検出手段から得られた前記商品の置かれた位置及び立体形状に基づいて、前記商品により利用者から見て死角になる領域を算出し、前記商品及び前記死角になる領域と重ならないように前記画像を移動又は縮小させることを特徴とする。
【００２０】
請求項１０に係る画像表示装置によれば、各利用者から見て商品により死角になって見えない領域に画像が表示されるのを防止できる。
【００２１】
請求項１１に係る画像表示装置は、請求項１から１０において、前記商品検出手段は、前記表示画面に加わる圧力を検出する圧力検出手段を備え、前記制御手段は、前記表示画面に圧力が加えられた場合に、前記圧力が加えられている領域と重ならないように前記画像を移動又は縮小させることを特徴とする。
【００２２】
また、請求項１２に係る画像表示装置は、請求項１から１０において、前記画像表示手段の表示画面上に配設されたタッチパネルを更に備え、前記制御手段は、前記タッチパネルに圧力が加えられた場合に、前記検出された圧力に基づいて、前記タッチパネルに加えられた圧力が利用者によるタッチ操作によるものか否かを判別し、前記検出された圧力がタッチ操作によるものでない場合に、前記圧力が加えられている領域と重ならないように前記画像を移動又は縮小させることを特徴とする。
【００２３】
請求項１１又は１２に係る画像表示装置によれば、前記表示画面に加えられる圧力を検出することにより、表示画面上に置かれたものと画像が重なるのを防止できる。また、上記のＩＣタグを読み取る手段と併用することも可能であるため、商品の位置検出精度を高めることができる。
【００２４】
請求項１３に係る表示位置制御プログラムは、画像を表示する機能と、利用者の位置を検出する機能と、前記利用者の位置に基づいて前記画像の表示位置及び向きを制御する機能とをコンピュータに実現させることを特徴とする。
【発明の効果】
【００２５】
本発明の画像表示装置によれば、利用者が複数の場合であっても、各利用者から見やすい位置に画像を表示することができる。また、テーブル形状であってテーブルの表面に表示画面が設けられた画像表示装置において、表示画面上に置かれたものによって画像が隠されてしまうのを防止できる。
【発明を実施するための最良の形態】
【００２６】
以下、添付図面に従って本発明に係る画像表示装置及び表示位置制御プログラムの好ましい実施の形態について説明する。図１は、本発明の一実施形態に係る画像表示装置を含む画像表示制御システムを示すブロック図である。画像表示制御システム１０は、喫茶店やレストラン等の店舗に設置されるもので、画像表示装置１２と、画像をプリントするためのプリンタ１４と、店員用の入出力装置や店内カメラ、ＰＯＳレジ等を含む店内システム１６と、システム制御や画像処理に係るプログラムやテンプレート等を含むサーバ１８とを備えており、これらはハブ２０を介してＬＡＮ接続されている。なお、本実施形態では、スター型ＬＡＮが示されているが、バス型ＬＡＮやリング型ＬＡＮでもよい。また、有線ＬＡＮ及び無線ＬＡＮのいずれでもよい。
【００２７】
図２は、本発明の一実施形態に係る画像表示装置を示す斜視図である。図２に示すように、本実施形態の画像表示装置１２は、天板の表面が正方形のテーブル形状である。以下の説明では、この画像表示装置を画像表示テーブルという。画像表示テーブル１２の両側には座席３０が２つ配置されており、２人がけである。
【００２８】
画像表示テーブル１２の表面全面には、画像を表示する表示部（表示画面）３２が設けられている。表示部３２は、例えば、有機ＥＬ（electro-luminescence）や液晶ディスプレイ（ＬＣＤ）、電子ペーパー等である。表示部３２にはタッチパネル（図３の符号５２）が配設されており、各利用者は表示部３２に表示された画像に指やスタイラスペン等で触れて、表示位置の移動、拡大／縮小、印刷指示、セーブ／消去又は動画再生、画像への書き込み、画像の色合い等の調整、画像とテンプレート等との合成、シールやインデックスプリントの作成等の操作を行うことができる。なお、タッチパネルにおける指等の検出方法は、アナログ容量結合方式や超音波方式、抵抗膜方式、赤外線方式等を用いることができる。
【００２９】
なお、本実施形態においては、表示部３２における画像の操作手段としてタッチパネルを用いたが、本発明はこれに限定されるものではなく、例えば、マウスやペンタブレット、タッチパッド等のポインティングデバイスを用いてもよい。
【００３０】
また、図２に示すように、画像表示テーブル１２の下面には、座席３０に対応して入出力部３４が２つ取り付けられている。入出力部３４は、メディアリーダ／ライタ３６と、ジャック３８とを備えている。
【００３１】
メディアリーダ／ライタ３６は、記録メディアに画像データを入出力するブロックであり、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図２においては、メディアリーダ／ライタ３６は１つの記録メディア挿入口として簡略化されている。また、入出力部３４は、有線通信やＩｒＤＡ（Infrared Data Association）やBluetooth等の無線通信用のインターフェースを備え、デジタルカメラやカメラ付き携帯電話等との間で直接画像データを入出力できる。
【００３２】
ジャック３８は、記録メディアから入力された音声データを再生するためのヘッドホンやスピーカ、及び音声入力用のマイクを接続する。画像表示テーブル１２に音声付の画像が入力された場合には、ジャック３８に接続されたヘッドホンやスピーカにより音声が再生できる。ジャック３８に接続されたマイクからの音声入力や、入力された音声と画像との合成が可能である。
【００３３】
図３は、画像表示テーブルの構成を示すブロック図である。同図において、中央処理装置（ＣＰＵ）５０は、画像表示テーブル１２の各部を統括制御する制御部である。ＣＰＵ５０は、タッチパネル５２等からの信号の入力に基づいて画像表示テーブル１２の動作を制御する。ＣＰＵ５０は、データバス５４を介して画像表示テーブル１２内の各ブロックに接続されている。なお、画像表示テーブル１２はＣＰＵ５０を備えず、サーバ１８によって統括制御される構成にしてもよい。
【００３４】
メモリ５６には、ＣＰＵ５０が処理するプログラム及び制御に必要な各種データ等が格納されるＲＯＭや、入出力部３４を介して入力した画像データが格納される記憶領域及びＣＰＵ５０が各種の演算処理等を行う作業用領域となるＳＤＲＡＭ（Synchronous Dynamic RAM）等が含まれている。
【００３５】
通信Ｉ／Ｆ５８は、画像表示テーブル１２をＬＡＮに接続するためのブロックで、所定のプロトコルにしたがって各種データの送受信を行う。
【００３６】
赤外線センサ６０は、画像表示テーブル１２の側面や脚部等に配設されており、画像表示テーブル１２の利用者の位置を検出する。赤外線センサ６０は、利用者の位置を定期的に（例えば、数秒又は数分ごとに）検出しており、利用者が移動した場合にも利用者の位置を検出できる。
【００３７】
ＩＣタグリーダ６２は、商品６４に取り付けられたＩＣタグ６６から商品の識別情報を読み取る装置であり、テーブル表面の表示画面に商品６４が置かれた場合にその位置を検出する。ここで、商品６４は画像表示テーブル１２が設置される店舗で提供される商品であり、例えば、コーヒーやジュースである。ＩＣタグ６６は商品６４や商品６４を入れる容器（例えば、コーヒーカップやグラス等の食器）や包装に取り付けられる。なお、ＩＣタグ６６は自身が取り付けられている商品６４の立体形状を記憶している。
【００３８】
次に、画像表示テーブル１２における画像の表示位置の制御方法について、図４及び図５を参照して説明する。図４は、画像表示テーブルの画像の表示位置を示す平面図である。図４に示す画像表示テーブル１２には、２人の利用者（ＡさんとＢさん）が着席している。以下の説明では、利用者ＡさんとＢさんの位置をそれぞれ点Ａ及びＢ、画像表示テーブル１２の表示部の中心を点Ｏという。また、図中の矩形の領域Ｐ１からＰ６は画像の表示位置である。矩形の領域Ｐ１からＰ６内の矢印８０は画像の向きを示しており、矢印８０の指示する向き（やじりの指し示す向き）が各画像の上側である。
【００３９】
図５は、画像の表示位置の制御方法を示すフローチャートである。まず、入出力部３４から画像が入力されると、赤外線センサ６０によって利用者が複数であるかどうか検知される（ステップＳ１０）。ステップＳ１０において利用者が複数の場合には、次いで全利用者の位置が検出され（ステップＳ１２）、この検出された全利用者の位置に基づいて各利用者から見やすいように画像の表示位置が算出される（ステップＳ１４）。図４の例では、∠ＡＯＢの二等分線Ｌ１上及びその近傍であって、画像表示テーブル１２の中心点Ｏから離れた縁付近が画像の表示位置となる。図４では、上下の∠ＡＯＢがほぼ等しいため、位置Ｐ１、Ｐ２、及びその近傍の領域が画像の表示位置となる。そして、画像の向きは、画像の上側（矢印８０の指示方向）が画像表示テーブル１２の縁側になる向きとなる。
【００４０】
次に、ステップＳ１４において算出された画像の表示位置（算出位置）に商品が置かれているかどうか判断される（ステップＳ１６）。ＩＣタグリーダ６２は、商品６４を定期的に（例えば、数秒又は数分ごとに）検出しており、商品６４が移動された場合にも位置を検出できる。ステップＳ１６においてＩＣタグリーダ６２によって算出位置に商品６４が検出されない場合には、算出位置（例えば、位置Ｐ１）に画像が表示される（ステップＳ１８）。なお、画像が複数の場合には、位置Ｐ２、Ｐ３、…、Ｐ５等に順次表示される。
【００４１】
また、利用者ＡさんとＢさんの２人によってそれぞれの入出力部３４から画像が入力された場合には、画像と入力した利用者（画像の所有者）の関係が識別可能な表示となる。例えば、画像が入力された入出力部３４側から向かって右側に表示されるようにする。すなわち、Ａさんの座席側の入出力部３４から入力された画像が位置Ｐ２、Ｐ４に、Ｂさんの座席側の入出力部３４から入力された画像が位置Ｐ１、Ｐ３、Ｐ５にそれぞれ表示される。または、画像の枠の色がＡさんとＢさんの座席側の入出力部３４から入力された画像の枠がそれぞれ異なる色となる表示にする。これにより、画像とその所有者が視覚的に識別可能となる。
【００４２】
図５のフローチャートの説明に戻ると、上記ステップＳ１６においてＩＣタグリーダ６２によって算出位置に商品６４が検出された場合には、ＩＣタグ６６から商品６４の立体形状の情報が読み込まれ、この商品６４の立体形状の情報及び利用者の位置に基づいて、商品６４及び利用者の位置から見ての影（死角）になる領域を避けて画像が表示される（ステップＳ２０）。
【００４３】
図６は、商品が置かれている位置と算出位置が重なっている場合に画像の表示位置を変更する手順を模式的に示す図である。ステップＳ１４において算出された算出位置Ｐ１に商品６４が置かれている場合には、図６（ａ）の符号Ｐ１’に示すように画像の表示位置が商品６４と重ならないように縮小される。または、図６（ｂ）に示すように画像の表示位置Ｐ１が位置Ｐ１’に移動する。なお、画像の表示位置Ｐ１は、画像表示テーブル１２の中心点Ｏ側に縮小又は移動する。これにより、画像が商品６４の影（死角）に表示されるのを防止できる。
【００４４】
一方、上記ステップＳ１０において利用者が一人の場合には、次いで利用者の位置が検出され（ステップＳ２２）、表示部３２上における検出された利用者の位置の近傍（例えば、利用者の正面であって利用者のほかの画像が表示されていない領域）に商品が置かれているかどうか判断される（ステップＳ２４）。ステップＳ２４においてＩＣタグリーダ６２によって利用者の近傍に商品６４が検出されない場合には、利用者の近傍（例えば、利用者Ａさんの正面の位置Ｐ６）に画像が表示される（ステップＳ２６）。なお、画像が複数の場合には、位置Ｐ６の周囲に並べて表示される。一方、ステップＳ２４においてＩＣタグリーダ６２によって利用者の近傍に商品６４が検出された場合には、図６の例と同様に商品６４及びその死角となる領域を避けて画像が表示される（ステップＳ２８）。
【００４５】
本実施形態によれば、複数の利用者の間で画像を見せ合う場合に、各利用者にとって見やすい位置に画像を表示させることができる。また、テーブル形状であってテーブルの表面に表示部が設けられた画像表示装置において表示部に商品等が置かれた場合に、画像が商品やその影に隠れるのを防止できる。
【００４６】
なお、本実施形態では、記録メディアやデジタルカメラ等に記録された画像を入出力部３４により入力するようにしたが、本発明の画像入力手段はこれに限定されるものではない。例えば、テーブル１２上や付近にカメラ（定点カメラ）等を設置して、このカメラによって撮影された画像を同様に入力できるようにしてもよい。また、画像表示テーブル１２の定員（座席３０の数）に応じて入出力部３４を設けたが、入出力部３４は１つだけであってもよい。
【００４７】
また、本実施形態においては、赤外線センサ６０によって利用者の位置を検出するようにしたが、利用者の位置を検出するための手段はこれに限定されるものではない。例えば、画像表示テーブル１２の周囲やテーブル上に店内カメラ６８を配設しておき、この店内カメラ６８により画像表示テーブル１２付近を撮影して得られた画像を解析して利用者の位置を検出してもよい。また、画像表示テーブル１２の周囲の床面や座席３０に加重センサを配設して、この加重センサによって利用者による加重を検出することにより利用者の位置を検出してもよい。
【００４８】
また、画像表示テーブル１２の表面に光センサを配設して、テーブル上に投影された利用者の手の影の形状（向き）を検出することにより、利用者の位置を検出するようにしてもよい。図７は、光センサによって利用者の位置を検出する方法を模式的に示す図である。図７の例では、画像表示テーブル１２の表面に当たる光を検知する光センサが所定の間隔で配設されている。各光センサはＣＰＵ５０に検出信号を出力する。まず、図７（Ａ）に示すように、利用者の手が画像表示テーブル１２の上にかざされる。すると、画像表示テーブル１２の上方に配置された照明により、図７（Ｂ）に示すように、利用者の手の影が画像表示テーブル１２の表面に投影される。そして、ＣＰＵ５０により各光センサからの検出信号が処理されて、利用者の手の影の形状が検出される。これにより、検出された利用者の手の影の向きから利用者の位置が検出される。
【００４９】
なお、本実施形態においては、上記（図７参照）の光センサによって検出された利用者の手の影により画像の操作を行えるようにしてもよい。この場合、例えば、利用者の手の影をポインタとして用いて画像の表示位置の移動や操作メニュー選択等の操作を行うことができる。また、利用者の手を画像表示テーブル１２の表面に近づけたり、遠ざけたりすることにより、手の影の拡大／縮小に伴って、画像の表示の拡大／縮小を行うことができる。
【００５０】
さらに、赤外線センサ６０や店内カメラ６８、加重センサ、光センサ等を併用して利用者の位置を検出するようにしてもよい。これらを併用することにより、利用者の位置の検出精度を高めることができる。
【００５１】
また、本実施形態においては、ＩＣタグリーダ６２によって表示画面上に置かれた商品の位置を検出するようにしたが、商品の位置を検出するための手段はこれに限定されるものでない。例えば、表示画面上に加重センサを配設して、商品等の加重を検出するようにしてもよい。また、ＩＣタグリーダ６２やテーブル表面の加重センサ、店内カメラ６８を併用して、商品の位置を検出するようにしてもよい。これにより、ＩＣタグ６６が取り付けられた商品６４以外のものを検出して画像の表示位置を調整できる。
【００５２】
また、本実施形態においては、利用者や商品６４の検出は赤外線センサ６０やＩＣタグリーダ６２によって定期的に行われるが、例えば、利用者や商品６４の位置検出を行うための更新スイッチを設けておき、この更新スイッチが操作されるごとに利用者や商品６４の位置を検出して画像の表示位置を制御するようにしてもよい。
【００５３】
また、本実施形態の画像表示テーブル１２は、２人がけで正方形であったが、その形状や利用者の数はこれに限定されるものではない。図８は、画像表示テーブルの利用者が３人の場合の例を示す図である。図８の例では、画像の表示位置は、各利用者の位置と画像表示テーブル１２の中心点Ｏとを結ぶ線分のなす角∠ＡＯＢ、∠ＢＯＣ及び∠ＣＯＡのうち最大となる角∠ＣＯＡの二等分線Ｌ１上（位置Ｐ１）及びその近傍（上下左右等）となる。なお、画像の大きさは各利用者からの距離に応じて調整され、例えば、画像から最も遠い利用者Ｂさんから遠くなるほど画像のサイズが大きくなる。また、画像の向きは、画像の上側（矢印８０の指示方向）が画像表示テーブル１２の利用者がいない縁側（図中の上側の辺）になる向きとなる。
【００５４】
図９は、表示部が長方形で利用者が３人の場合の例を示す図である。図９の例では、画像の表示位置は、各利用者の位置と画像表示テーブル１２の中心点Ｏとを結ぶ線分のなす角∠ＡＯＢ、∠ＢＯＣ及び∠ＣＯＡのうち最大となる角∠ＣＯＡの二等分線Ｌ１上（位置Ｐ１）及びその近傍となる。なお、画像の大きさは各利用者からの距離に応じて調整され、例えば、画像から最も遠い利用者Ｂさんから遠くなるほど画像のサイズが大きくなる。また、二等分線Ｌ１と画像の上下の向きを示す矢印８０は略平行であり、画像の向きは画像の上側（矢印８０の指示方向）が画像表示テーブル１２の利用者がいない縁側になる向きとなる。
【００５５】
図１０は、表示部が長方形で利用者が４人の場合の例を示す図である。図１０の例では、画像の表示位置は、各利用者の位置と画像表示テーブル１２の中心点Ｏとを結ぶ線分のなす角∠ＡＯＢ、∠ＢＯＣ、∠ＣＯＤ及び∠ＤＯＡのうち最大となる角∠ＡＯＢ及び∠ＣＯＤの二等分線それぞれＬ１、Ｌ２上（位置Ｐ１及びＰ２）及びその近傍となる。なお、画像の大きさは各利用者からの距離に応じて調整され、例えば、各利用者から遠くなるほど画像のサイズが大きくなる。また、二等分線Ｌ１、Ｌ２と画像Ｐ１、Ｐ２の上下の向きを示す矢印８０はそれぞれ略平行であり、画像の向きは画像の上側（矢印８０の指示方向）が画像表示テーブル１２の利用者がいない縁側になる向きとなる。
【００５６】
図１１は、表示部が円形の場合の例を示す図である。図１１の例では、画像の表示位置は、各利用者の位置と画像表示テーブル１２の中心点Ｏとを結ぶ線分のなす角∠ＡＯＢ、∠ＢＯＣ、…、及び∠ＥＯＡのうち最大となる角∠ＥＯＡの二等分線Ｌ１上（位置Ｐ１）及びその近傍となる。なお、画像の大きさは各利用者からの距離に応じて調整され、例えば、各利用者から遠くなるほど画像のサイズが大きくなる。また、二等分線Ｌ１と画像の上下の向きを示す矢印８０は略平行であり、画像の向きは画像の上側（矢印８０の指示方向）が画像表示テーブル１２の利用者がいない縁側になる向きとなる。
【００５７】
なお、画像の表示位置の算出方法は上記の例に限定されるものではない。例えば、画像の上下を示す矢印８０で表されるベクトルと、各利用者の視線の向きを示すベクトルがなるべく小さな角度（鋭角乃至直角）になる位置を画像の表示位置としてもよい。この場合、利用者は画像を上下が逆になる側から見ることがない。
【００５８】
次に、画像の表示位置の制御方法の別の実施例について説明する。図１２は、本発明の別の実施例に係る画像の表示位置の制御方法を示すフローチャートである。まず、入出力部３４から画像が入力されると、画像表示テーブル１２の表示部３２上に商品６４が置かれているかどうか判断される（ステップＳ５０）。
【００５９】
ステップＳ５０においてＩＣタグリーダ６２によって算出位置に商品６４が検出された場合には、次いで赤外線センサ６０によって利用者が複数であるかどうか検知される（ステップＳ５２）。ステップＳ５２において利用者が複数の場合には、次いで全利用者の位置（ステップＳ５４）及び商品６４が置かれている位置（ステップＳ５６）が検出される。そして、この検出された全利用者の位置及び商品６４の位置に基づいて各利用者から見やすいように、且つ商品６４の影に画像が隠れないように画像の表示位置が算出され（ステップＳ５８）、この算出された位置（算出位置）に画像が表示される（ステップＳ６０）。一方、ステップＳ５４において利用者が一人の場合には、次いで利用者の位置（ステップＳ６２）及び商品６４が置かれている位置（ステップＳ６４）が検出される。そして、この利用者の位置及び商品６４の位置に基づいて利用者から見やすい位置であって、且つ商品６４の影に画像が隠れない位置（例えば、利用者の正面（図４の位置Ｐ６））に画像が表示される（ステップＳ６６）。
【００６０】
一方、ステップＳ５０においてＩＣタグリーダ６２によって算出位置に商品６４が検出されない場合には、次いで赤外線センサ６０によって利用者が複数であるかどうか検知される（ステップＳ６８）。ステップＳ６８において利用者が複数の場合には、次いで全利用者の位置が検出される（ステップＳ７０）。そして、この検出された全利用者の位置に基づいて各利用者から見やすいように画像の表示位置が算出され（ステップＳ７２）、この算出位置に画像が表示される（ステップＳ７４）。一方、ステップＳ６８において利用者が一人の場合には、次いで利用者の位置が検出される（ステップＳ７６）。そして、この利用者の位置に基づいて利用者から見やすい位置（例えば、利用者の正面（図４の位置Ｐ６））に画像が表示される（ステップＳ７８）。
【００６１】
なお、上記の実施形態においては、画像が入力されると、画像表示テーブル１２の各利用者から見やすい画像の表示位置が自動的に算出されるようにしたが、本発明はこれに限定されるものではない。例えば、各利用者が専用に画像の表示や操作を行うことができる専有領域を表示部３２に設ける。そして、タッチパネル５２からの操作入力により各利用者が見せ合うための画像が指定された場合に、上記の実施形態と同様に画像の表示位置が算出されるようにしてもよい。なお、この専有領域は座席３０や入出力部３４の数に応じて設けるようにしてもよいし、画像表示テーブル１２の利用開始時に利用者の数を入力するようにして、入力された利用者数に応じて設けられるようにしてもよい。
【００６２】
なお、上記した利用者の手の影により利用者の位置の検出や画像の操作を行う態様は、下記に列挙する本出願人による特許出願にも適用できる。
・特願２００４−１４５３３７号：画像表示装置をグループで利用する場合にメンバーの印刷ジョブのスケジューリングを最適化できる印刷ジョブ管理システム。
・特願２００４−１５４５９４号：画像表示テーブル上に画像を操作するための画像操作パネルを設けた画像表示テーブル及び画像表示制御システム。
・特願２００４−１５４５９５号：利用者が注文した商品に応じて、利用者の画像表示テーブルの表示を変化させる画像表示制御システム。
・特願２００４−１６４５１６号：画像表示制御テーブルの利用者が相互に画像を見せ合いたい場合に、相手に見えやすいように自動的に画像の天地を制御する画像表示制御テーブル、画像の天地制御方法及び画像の天地制御プログラム。
・特願２００４−１６４５１７号：グループで利用する場合にテーブル上の表示領域を分割して各利用者に割り当てる画像表示制御テーブル、表示領域割当方法及び表示領域割当プログラム。
・特願２００４−１６４５１８号：テーブル表面に表示されている画像が他の画像やテーブル上に置かれているものと重なって隠れてしまうことを回避する画像表示制御テーブル、画像の干渉回避方法及び画像の干渉回避プログラム。
・特願２００４−１７０１６３号：テーブル表面の表示領域を分割して、各利用者に割り当てられる専有領域と、テーブルの利用者で共有する共有領域を設け、共有許可を与え合った専有領域間で画像のやり取りを可能とした画像表示テーブル及び画像表示制御システム。
・特願２００４−１７１３３３号：画像と合成されるテンプレートの著作権等の保護を図った合成画像出力装置及び画像合成出力プログラム。
・特願２００４−１８９３８７号：利用者の手が届かない位置に表示されている画像の手繰りよせる画像表示制御装置及び画像表示制御プログラム。
・特願２００４−２１１８６８号：画像とテンプレートを互いの距離が所定値以下になるように近づけると画像とテンプレートが合成される画像処理装置、画像処理方法及び画像処理プログラム。
・特願２００４−２２４１８５号：表示部においてポイント位置に画像を集めることができる画像表示制御装置及び画像表示制御プログラム。
・特願２００４−２２４１８６号：鑑賞モードとファイル操作モードを有し、ファイル操作モード時においてサムネイル画像の表示位置が入れ替えられた場合に、鑑賞モード時の表示位置が入れ替わる画像表示制御装置及び画像表示制御プログラム。
【図面の簡単な説明】
【００６３】
【図１】本発明の一実施形態に係る画像表示装置を含む画像表示制御システムを示すブロック図
【図２】本発明の一実施形態に係る画像表示装置を示す斜視図
【図３】画像表示テーブルの構成を示すブロック図
【図４】画像表示テーブルの画像の表示位置を示す平面図
【図５】画像の表示位置の制御方法を示すフローチャート
【図６】商品が置かれている位置と算出位置が重なっている場合に画像の表示位置を変更する手順を模式的に示す図
【図７】光センサによって利用者の位置を検出する方法を模式的に示す図
【図８】画像表示テーブルの利用者が３人の場合の例を示す図
【図９】表示部が長方形で利用者が３人の場合の例を示す図
【図１０】表示部が長方形で利用者が４人の場合の例を示す図
【図１１】表示部が円形の場合の例を示す図
【図１２】本発明の別の実施例に係る画像の表示位置の制御方法を示すフローチャート
【符号の説明】
【００６４】
１０…画像表示制御システム、１２…画像表示装置（画像表示テーブル）、１４…プリンタ、１６…店内システム、１８…サーバ、２０…ハブ、３０…座席、３２…表示部、３４…入出力部、３６…メディアリーダ／ライタ、３８…ジャック、５０…中央処理装置（ＣＰＵ）、５２…タッチパネル、５４…データバス、５６…メモリ、５８…通信Ｉ／Ｆ、６０…赤外線センサ、６２…ＩＣタグリーダ、６４…商品、６６…ＩＣタグ、６８…店内カメラ
【図１】
2006208845.tif 000003
【図２】
2006208845.tif 000004
【図３】
2006208845.tif 000005
【図４】
2006208845.tif 000006
【図５】
2006208845.tif 000007
【図６】
2006208845.tif 000008
【図７】
2006208845.tif 000009
【図８】
2006208845.tif 000010
【図９】
2006208845.tif 000011
【図１０】
2006208845.tif 000012
【図１１】
2006208845.tif 000013
【図１２】
2006208845.tif 000014